(57)【要約】【課題】表示パネルの裏面側で枠体に補強材を設けても表示パネルに補強材の影が映るのを防止できる表示装置を提供する。【解決手段】本発明の表示装置１は、発光素子１１を取付けた複数の反射板１３を有する装置本体３と、装置本体３に開閉自在に設けた表示扉５とを備え、表示扉５は、枠体２３と、枠体２３に取付けた表示パネル２１と、表示パネル２１の裏面側で枠体２３に設けた補強材２５とを有し、装置本体３は、隣合う反射板１３、１３間に表示扉５の補強材２５を収納する補強材収納溝１７を有し、補強材収納溝１７に収納した補強材２５の正面側面２５ａが、発光素子１１の正面側面１１ａと略同一面上又は発光素子１１の正面側面１１ａよりも裏面側に位置している。【選択図】図１
2010054569.tif 000002
【特許請求の範囲】
【請求項１】
発光素子を取付けた複数の反射板を有する装置本体と、装置本体に開閉自在に設けた表示扉とを備え、表示扉は、枠体と、枠体に取付けた表示パネルと、表示パネルの裏面側で枠体に設けた補強材とを有し、装置本体は、隣合う反射板間に表示扉の補強材を収納する補強材収納溝を有し、補強材収納溝に収納した補強材の正面側面が、発光素子の正面側面と略同一面上又は発光素子の正面側面よりも裏面側に位置していることを特徴とする表示装置。
【請求項２】
補強材は補強材収納溝と反射板との隙間を塞ぐ塞ぎ材を有することを特徴とする請求項１に記載の表示装置。
【発明の詳細な説明】
【技術分野】
【０００１】
本発明は、看板等の表示装置に関する。
【背景技術】
【０００２】
非特許文献１には、照明を有する本体に、表示扉を開閉自在に設けた表示装置が開示されている。
係る表示扉の枠体を補強するために表示パネルの裏面側で枠体に補強材を設けることがある。
【０００３】
【非特許文献１】アドフレックス  ウォールタイプ（アドフレーム総合カタログ、４３頁、２００６年６月タテヤマアドバンス株式会社発行）
【発明の開示】
【発明が解決しようとする課題】
【０００４】
しかし、表示パネルの裏面側で枠体に補強材を設けると、装置本体の照明光が表示パネルを裏面側から照らすときに補強材に照明光があたって、表示パネルに補強材の影が映るという問題がある。
【課題を解決するための手段】
【０００５】
そこで、本発明は、表示パネルの裏面側で枠体に補強材を設けても表示パネルに補強材の影が映るのを防止できる表示装置の提供を目的とする。
【０００６】
請求項１に記載の発明は、発光素子を取付けた複数の反射板を有する装置本体と、装置本体に開閉自在に設けた表示扉とを備え、表示扉は、枠体と、枠体に取付けた表示パネルと、表示パネルの裏面側で枠体に設けた補強材とを有し、装置本体は、隣合う反射板間に表示扉の補強材を収納する補強材収納溝を有し、補強材収納溝に収納した補強材の正面側面が、発光素子の正面側面と略同一面上又は発光素子の正面側面よりも裏面側に位置していることを特徴とする。
【０００７】
請求項２に記載の発明は、請求項１に記載の発明において、補強材は補強材収納溝と反射板との隙間を塞ぐ塞ぎ材を有することを特徴とする表示装置。
【発明の効果】
【０００８】
請求項１に記載の発明によれば、表示パネルの裏面側で表示扉の枠体に補強材を設けても、表示扉を閉じているときは補強材が装置本体の補強材収納溝に収納されて、補強材の正面側面と発光素子の正面側面が略同一面上又は発光素子の正面側面よりも裏面側に位置しているので、表示パネルの裏面を照らす発光素子の光が補強材にあたらずに照射できるから、表示パネルに補強材の影が映るのを防止できる。
【０００９】
請求項２に記載の発明によれば、請求項１に記載の発明と同様な効果を奏すると共に、発光素子が表示パネルの裏面を照射した光の一部が表示パネルの裏面で反射し、反射光が補強材収納溝と補強材との間の隙間から抜けて表示パネルを照らす明るさに差が生じることによりこの隙間が表示パネルに影として写ることがあるが、隙間塞ぎ材が補強材収納溝と補強材との間の隙間を塞いでいるので、この隙間が影として写るのを防止できる。
【発明を実施するための最良の形態】
【００１０】
以下に、添付図面を参照して本発明の実施の形態を説明する。図１は図４に示すＢ―Ｂ断面図であり、図２は図４に示すＣ―Ｃ断面図であり、図３は図１に示すＡ部を正面側から見た斜視図であり、図４は本実施の形態に係る表示装置の正面図である。尚、図２には二点鎖線で表示扉５を開いた状態を示している。
本実施の形態に表示装置１は、図１及び図２に示すように、建物の外壁２に取付ける大型の看板であり、装置本体３と、装置本体３の正面に開閉自在に設けた表示扉５とから構成されている。
装置本体３は、底板７と、底板の四周を組む装置本体枠９とを有し、装置本体枠９の内周に発光素子（ＬＥＤ）１１を取付けた反射板１３が配置されている。
反射板１３は底板７から立設された支持部材１５に取付けてある。図１及び図３に示すように、支持部材１５は、正面側が開いた二股状を成しており、左右に隣り合う反射板１３を左右に間隔をあけて固定し、隣合う反射板１３、１３間に溝（補強材収納溝）１７を形成している。
また、装置本体枠９と反射板１３との間にも溝（枠体収納溝）１８を形成している。
反射板１３の正面には、左右に長い帯状のＬＥＤ（発光素子）基板１９を上下に複数取付けてある。
表示扉５は、表示パネル２１と、枠体２３と、枠体２３間に配置した補強材２５とを備えている。
表示パネル２１はフレキシブル樹脂シートであり、任意のデザインが施してある。
図２に示すように、枠体２３の上枠２２が装置本体枠９にヒンジ２７を介して取付けてあり、二点鎖線で示すように、表示扉５が装置本体３に対して下枠２４側を開くようにして回動自在としてある。
図１及び図３に示すように、枠体２３の上枠２２と下枠２４との間には複数の補強材２５が左右に間隔をあけて設けてある。補強材２５は、左右の補強材収納溝１７の間隔と左右の間隔を同じにして枠体２３の上枠２２と下枠２４間に配置されており且つ補強材収納溝１７の溝巾よりも巾寸法が僅かに短くなっている。そして、装置本体３に対して表示扉５が閉じ位置にあるときには、各補強材２５が補強材収納溝１７内に収納され、且つ補強材２５の正面側面２５ａが発光素子１１の正面側面１１ａと略同一面面上又は裏面側に位置している。
補強材２５は、正面側部材２５ｂと裏面側部材２５ｃとを重ねて固定してあり、図２に示すように、裏面側部材２５ｃを枠体２３の上枠２５と下枠２７とに固定し、正面側部材２５ｂには、図１及び図３に示すように、その正面側面２５ａに補強材２５と補強材収納溝１７との間を塞ぐ塞ぎ材２９が取付けてある。
この塞ぎ材２９は反射板であり、補強材２５の左右から食み出して設けており、補強材２５が補強材収納溝１７に収納されているときに塞ぎ材２９が反射板１３の正面に重なって補強材２５と補強材収納溝１７との間の隙間２８を覆っている。
本実施の形態では、枠体２３にもその四周の内周側に塞ぎ材３１が設けてあり、装置本体３の装置本体枠９と反射板１３との間にある枠体収納溝１８内に枠体２３の内周側部２３ａが収納されると共に、枠体２３の内周側部２３ａと枠体収納溝１８との間を塞ぎ材２９で塞いでいる。
【００１１】
次に、本実施の形態に係る表示装置１の開閉動作、作用及び効果について説明する。発光素子１１のメンテナンス等のために、表示扉５を開くときには、図２に二点鎖線で示すように、枠体２３の下枠２４を上方に回動するようにして表示扉５を開ける。
表示扉５を閉じると、枠体２３に設けた補強材２５は、反射板１３、１３間に設けてある補強材収納溝１７内に収納され、補強材２５の正面側面２５ａが発光素子１１の正面側面１１ａと略同一面上又は発光素子１１の正面側面１１ａよりも裏面側に位置する。
同時に、塞ぎ材２９が反射板１３の正面に重なり、補強材２５と補強材収納溝１７との間の隙間２８を塞ぐ。また、枠体２３の内周側部２３ａが装置本体枠９と反射板１３との間にある枠体収納溝１８内に位置して、枠体２３の塞ぎ材３１が枠体２３と枠体収納溝１８との間の隙間３０を塞ぐ。
【００１２】
本実施の形態によれば、表示パネル２１の裏面側に枠体２３の補強材２５を設けても、補強材２５が補強材収納溝１７に収納されて、補強材２５の正面側面２５ａが発光素子１１の正面側面１１ａと略面一かそれよりも裏面側に位置するので、表示パネル２１を照らす発光素子１１の照射光が補強材２５にあたらずに照射できるから、表示パネル２１に補強材２５の影が映るのを防止できる。
【００１３】
発光素子１１が表示パネル２１を照射した光の一部が表示パネル２１の裏面で反射し、反射光が補強材収納溝１７と補強材２５との間の隙間２８から抜けて表示パネルを照らす明るさに差が生じることにより表示パネル２１に隙間２８が影として写ることがあるが、隙間塞ぎ材２９が補強材収納溝１７と補強材２５との間の隙間２８を塞いでいるので、かかる隙間２８が影として写るのを防止できる。
更に、本実施の形態では、装置本体３の本体枠９と反射板１３との間の枠体収納溝１８においても、枠体２３の内周側部２３ａが収納され、枠体２３にも表示パネルを照らす発光素子の光が直接あたらないから、表示パネル２１に枠体２３の影が映るのを防止できる。
また、枠体２３に設けた塞ぎ材３１が枠体２３と枠体収納溝１８との間の隙間３０を塞いでいるので、隙間３０が影となって表示パネル２１に映るのを防止できる。
照明に発光素子１１を用いているので、蛍光灯の場合に比較して装置本体３の奥行き寸法を大きくしなくても、発光素子１１と表示パネルとの間の距離を広くとって照射光を充分に拡散できるから、奥行き寸法が小さくても発光素子１１の形が表示パネル２１に映るのを防止できる。
【００１４】
本発明は、上述した実施の形態に限らず、本発明の要旨を逸脱しない範囲で種々変形可能である。
例えば、補強材２５は枠体２３の左右枠間に設けて、装置本体３には反射板１３を上下に間隔をあけて配置し上下の反射板１３、１３間に左右方向の補強材収納溝１７を設けても良い。
表示扉３は、下側を開くように回動して開閉したが、上側を開くように回動しても良いし、左右側の何れかを開くように回動するものであっても良い。
表示装置１は、店舗内に設けた商品広告用の表示装置等であってもよい。
【図面の簡単な説明】
【００１５】
【図１】図４に示すＢ―Ｂ断面図である。
【図２】図４に示すＣ―Ｃ断面図である。
【図３】図１に示すＡ部を正面側から見た斜視図である。
【図４】本実施の形態に係る表示装置の正面図である。
【符号の説明】
【００１６】
１      表示装置
３      装置本体
５      表示扉
１１    発光素子
１１ａ  発光素子の正面側面
１３    反射板
１７    補強材収納溝
２１    表示パネル
２３    枠体
２５    補強材
２５ａ  補強材の正面側面
２８    隙間（補強材収納溝の隙間）
２９    塞ぎ材
【図１】
2010054569.tif 000003
【図２】
2010054569.tif 000004
【図３】
2010054569.tif 000005
【図４】
2010054569.tif 000006